(57)【要約】  エレベータの運転モード切替システムにおいては、運転モードを保守運転モードに切り替えるための保守運転モード切替スイッチが、昇降路内に設けられている。乗場ドアには、乗場ドアの開閉を検出する乗場ドアスイッチとは別に、乗場ドアが人為的に開かれたときに遮断される乗場ドア開放検出スイッチが設けられている。保守時通常運転阻止リレーは、乗場ドア開放検出スイッチが遮断されると消磁され、かごの起動を阻止する。保守時通常運転阻止リレーによりかごの起動が阻止された後、保守運転モード切替スイッチで運転モードを保守運転モードに切り替えることにより、かごの保守運転が可能となる。
2012042660.tif 000002
【特許請求の範囲】
【請求項１】
複数の乗場ドアの開閉を検出する複数の乗場ドアスイッチを備えたエレベータに設けられ、保守作業時に運転モードを切り替えるエレベータの運転モード切替システムであって、
昇降路内に設けられ、運転モードを保守運転モードに切り替えるための保守運転モード切替スイッチ、
前記乗場ドアスイッチとは別に前記乗場ドアに設けられ、前記乗場ドアが人為的に開かれたときに遮断される乗場ドア開放検出スイッチ、及び
前記乗場ドア開放検出スイッチが遮断されると消磁され、前記かごの起動を阻止する保守時通常運転阻止リレー
を備え、
前記保守時通常運転阻止リレーにより前記かごの起動が阻止された後、前記保守運転モード切替スイッチで運転モードを保守運転モードに切り替えることにより、前記かごの保守運転が可能となることを特徴とするエレベータの運転モード切替システム。
【請求項２】
前記昇降路内の前記保守運転モード切替スイッチの近傍には、保守作業時に前記かごを手動で運転するための保守運転装置が配置されていることを特徴とする請求項１記載のエレベータの運転モード切替システム。
【請求項３】
乗場に設けられ、運転モードを通常運転モードに戻すためのリセットスイッチをさらに備え、
前記保守運転モード切替スイッチが通常運転モード側に戻され、かつ、前記乗場ドアスイッチの状態により、全ての前記乗場ドアが閉じられていることが検出された状態で、前記リセットスイッチが操作されたときに、通常運転モードでの前記かごの運転が可能となることを特徴とする請求項１記載のエレベータの運転モード切替システム。
【請求項４】
前記保守運転モード切替スイッチは、前記昇降路のピットに設けられており、
前記乗場ドア開放検出スイッチは、最下階の前記乗場ドアに設けられていることを特徴とする請求項１記載のエレベータの運転モード切替システム。
【請求項５】
前記保守運転モード切替スイッチは、前記かご上に設けられており、
前記乗場ドア開放検出スイッチは、最下階以外の階の前記乗場ドアに設けられていることを特徴とする請求項１記載のエレベータの運転モード切替システム。
【請求項６】
前記保守運転モード切替スイッチは、前記昇降路のピットに設けられたピット内保守運転モード切替スイッチと、前記かご上に設けられたかご上保守運転モード切替スイッチとを含み、
前記保守運転装置は、前記ピットに設けられたピット内保守運転装置と、前記かご上に設けられたかご上保守運転装置とを含み、
前記乗場ドア開放検出スイッチは、最下階の前記乗場ドアに設けられた最下階乗場ドア開放検出スイッチと、最下階以外の前記乗場ドアに設けられた通常階乗場ドア開放検出スイッチとを含み、
前記保守時通常運転阻止リレーは、前記最下階乗場ドア開放検出スイッチに対応するピット内保守時通常運転阻止リレーと、前記通常階乗場ドア開放検出スイッチに対応するかご上保守時通常運転阻止リレーとを含み、
前記ピット内保守時通常運転阻止リレー及び前記かご上保守時通常運転阻止リレーの両方により前記かごの起動が阻止された場合、前記ピット内保守運転装置及び前記かご上保守運転装置が同時に同方向へ操作された場合のみ、前記かごの保守運転が可能となることを特徴とする請求項２記載のエレベータの運転モード切替システム。
【請求項７】
前記乗場ドア開放検出スイッチ及び前記保守時通常運転阻止リレーを含む回路は、停電時及び電源遮断時もバッテリーにより電源バックアップされるように構成されていることを特徴とする請求項１記載のエレベータの運転モード切替システム。
【請求項８】
複数の乗場ドアの開閉を検出する複数の乗場ドアスイッチと、かごドアの開閉を検出するかごゲートスイッチとを備えたエレベータに設けられ、保守作業時に運転モードを切り替えるエレベータの運転モード切替システムであって、
昇降路内に設けられ、運転モードを保守運転モードに切り替えるための保守運転モード切替スイッチ、
消磁されることにより、前記かごの起動を阻止する保守時通常運転阻止リレー、及び
前記乗場ドアスイッチと前記かごゲートスイッチとの整合性により、前記かごドアが閉じたままで前記乗場ドアが人為的に開放されたことを判定し、前記保守時通常運転阻止リレーを消磁する判定部
を備え、
前記保守時通常運転阻止リレーにより前記かごの起動が阻止された後、前記保守運転モード切替スイッチで運転モードを保守運転モードに切り替えることにより、前記かごの保守運転が可能となることを特徴とするエレベータの運転モード切替システム。
【発明の詳細な説明】
【技術分野】
【０００１】
この発明は、保守作業時に運転モードを切り替えるためのエレベータの運転モード切替システムに関するものである。
【背景技術】
【０００２】
近年のエレベータにおいては、機械室を持たず、巻上機や制御装置が昇降路内に設置されている機械室レスタイプが主流となっている。このため、エレベータ機器の保守時には、保守員が昇降路内に入って保守作業をする頻度が高くなっている。【０００３】
例えば、巻上機や制御装置が昇降路内の上部に設置されている場合、保守員はかご上に乗って巻上機や制御装置の保守作業を行う。また、乗場ドア装置や各種の昇降路内スイッチ等を保守する場合も、保守員はかご上に乗って保守作業を行う。さらに、巻上機や制御装置が昇降路内の下部に設置されている場合、保守員は昇降路ピット内に入って巻上機や制御装置の保守作業を行う。【０００４】
このような保守作業時の保守員の退避スペースを確保するため、昇降路の上部及び下部に行き過ぎ制限スイッチが設けられており、保守運転時には行き過ぎ制限スイッチを越えてかごが移動することが防止されている。また、保守員がピット内に入るときには、乗場に設けられたスイッチ等を予め操作することにより、かごが動作しないようにしてからピット内に入るようにしている。【０００５】
また、従来のエレベータの制御装置では、乗場ドアの解錠装置が操作されたときに、運転モードが通常運転モードから保守運転モードに自動的に切り替えられる（例えば、特許文献１参照）。
【先行技術文献】
【特許文献】
【０００６】
【特許文献１】特開２００７−２７６８９６号公報
【発明の概要】
【発明が解決しようとする課題】
【０００７】
上記のような従来のエレベータでは、保守員がピット内に入る場合には、昇降路外から、運転モードを保守運転モードに事前に切り替える必要があり、最下階乗場の切替スイッチ等を操作することになる。しかし、実際には、切替スイッチを操作しなくてもピット内に入ることは可能であるため、保守員の不注意により通常運転モードのままピット内に入る可能性があった。【０００８】
これに対して、特許文献１に示された従来のエレベータの制御装置では、運転モードが保守運転モードに自動的に切り替えられるものの、装置が複雑となり、機器コストが増大する懸念がある。【０００９】
この発明は、上記のような課題を解決するためになされたものであり、簡単な構成で、保守員が通常運転モードのまま昇降路内に入るのをより確実に防止することができるエレベータの運転モード切替システムを得ることを目的とする。
【課題を解決するための手段】
【００１０】
この発明に係るエレベータの運転モード切替システムは、複数の乗場ドアの開閉を検出する複数の乗場ドアスイッチを備えたエレベータに設けられ、保守作業時に運転モードを切り替えるシステムであって、昇降路内に設けられ、運転モードを保守運転モードに切り替えるための保守運転モード切替スイッチ、乗場ドアスイッチとは別に乗場ドアに設けられ、乗場ドアが人為的に開かれたときに遮断される乗場ドア開放検出スイッチ、及び乗場ドア開放検出スイッチが遮断されると消磁され、かごの起動を阻止する保守時通常運転阻止リレーを備え、保守時通常運転阻止リレーによりかごの起動が阻止された後、保守運転モード切替スイッチで運転モードを保守運転モードに切り替えることにより、かごの保守運転が可能となる。
また、この発明に係るエレベータの運転モード切替システムは、複数の乗場ドアの開閉を検出する複数の乗場ドアスイッチと、かごドアの開閉を検出するかごゲートスイッチとを備えたエレベータに設けられ、保守作業時に運転モードを切り替えるシステムであって、昇降路内に設けられ、運転モードを保守運転モードに切り替えるための保守運転モード切替スイッチ、消磁されることにより、かごの起動を阻止する保守時通常運転阻止リレー、及び乗場ドアスイッチとかごゲートスイッチとの整合性により、かごドアが閉じたままで乗場ドアが人為的に開放されたことを判定し、保守時通常運転阻止リレーを消磁する判定部を備え、保守時通常運転阻止リレーにより前記かごの起動が阻止された後、前記保守運転モード切替スイッチで運転モードを保守運転モードに切り替えることにより、前記かごの保守運転が可能となる。
【発明の効果】
【００１１】
この発明のエレベータの運転モード切替システムは、乗場ドアが人為的に開かれると、保守時通常運転阻止リレーが消磁され、かごの起動が一旦阻止され、この後、保守運転モード切替スイッチで運転モードを保守運転モードに切り替えることにより、かごの保守運転が可能となるので、簡単な構成で、保守員が通常運転モードのまま昇降路内に入るのをより確実に防止することができる。
【図面の簡単な説明】
【００１２】
【図１】この発明の実施の形態１による機械室レスタイプのエレベータを示す構成図である。
【図２】図１の乗場ドアを示す正面図である。
【図３】図２の乗場ドア５の要部を拡大して示す背面図である。
【図４】図１のエレベータの運転モード切替システムを示す回路図である。
【図５】この発明の実施の形態２によるエレベータの運転モード切替システムを示す回路図である。
【図６】この発明の実施の形態３によるエレベータの運転モード切替システムを示す回路図である。
【発明を実施するための形態】
【００１３】
以下、この発明を実施するための形態について、図面を参照して説明する。
実施の形態１．
図１はこの発明の実施の形態１による機械室レスタイプのエレベータを示す構成図である。図において、昇降路１内の下部には、巻上機２が設置されている。巻上機２は、駆動シーブと、駆動シーブを回転させる巻上機モータと、駆動シーブの回転を制動する巻上機ブレーキとを有している。駆動シーブには、懸架手段（図示せず）が巻き掛けられている。懸架手段としては、複数本のロープ又は複数本のベルトが用いられている。
【００１４】
かご３及び釣合おもり（図示せず）は、懸架手段により昇降路１内に吊り下げられており、巻上機２により昇降される。昇降路１内の下部には、巻上機２を制御するエレベータ制御装置（制御盤）４が設置されている。かご３の運転は、エレベータ制御装置４により制御される。
【００１５】
各階の乗場出入口は、一対（図２）の乗場ドア５により開閉される。各階の乗場ドア５には、乗場ドア５の開状態を検出する乗場ドアスイッチ６が設けられている。
【００１６】
最下階の乗場ドア５には、乗場ドアスイッチ６とは別に、最下階乗場ドア開放検出スイッチ７が設けられている。最下階乗場ドア開放検出スイッチ７は、最下階の乗場ドア５のみに設けられており、最下階の乗場ドア５が人為的に開けられたことを検出する。
【００１７】
最下階以外の階の乗場ドア５には、乗場ドアスイッチ６とは別に、通常階乗場ドア開放検出スイッチ８がそれぞれ設けられている。通常階乗場ドア開放検出スイッチ８は、最下階以外の階の乗場ドア５が人為的に開けられたことを検出する。
【００１８】
昇降路１の最下部であるピット１ａには、運転モードを保守運転モードに切り替えるためのピット内保守運転モード切替スイッチ９と、かご３を保守運転モードで運転するためのピット内保守運転装置１０とが設けられている。ピット内保守運転モード切替スイッチ９及びピット内保守運転装置１０は、互いに近接して配置され、エレベータ制御装置４に電気的に接続されている。
【００１９】
最下階の乗場には、運転モードの切替をリセットして運転モードを通常運転モードに戻すための第１のリセットスイッチ１１が設けられている。最下階以外の所定の階（例えば２階）の乗場には、運転モードの切替をリセットして運転モードを通常運転モードに戻すための第２のリセットスイッチ１２が設けられている。リセットスイッチ１１，１２は、エレベータ制御装置４に電気的に接続されている。
【００２０】
かご出入口は、かごドア１３により開閉される。通常運転時には、かご３が階に着床すると、その階の乗場ドア５がかごドア１３に連動して開閉される。
【００２１】
かご３上には、かごドア１３の開閉を制御するドアオペレータ１４が設けられている。ドアオペレータ１４には、運転モードを保守運転モードに切り替えるためのかご上保守運転モード切替スイッチ１５と、かご３を保守運転モードで運転するためのかご上保守運転装置１６とが設けられている。かご上保守運転モード切替スイッチ１５及びかご上保守運転装置１６は、互いに近接して配置され、エレベータ制御装置４に電気的に接続されている。
【００２２】
このように、ピット内保守運転モード切替スイッチ９、ピット内保守運転装置１０、かご上保守運転モード切替スイッチ１５及びかご上保守運転装置１６は、いずれも昇降路１内に配置されている。このため、これらを操作するためには、保守員は乗場ドア５を人為的に開放して昇降路１内に立ち入ることになる。
【００２３】
かごドア１３には、かごドア１３の開状態を検出するかごゲートスイッチ１７が設けられている。昇降路１内の下部には、保守運転時にかご３の下降を制限する保守運転下部リミットスイッチ１８が設けられている。昇降路１内の上部には、保守運転時にかご３の上昇を制限する保守運転上部リミットスイッチ１９が設けられている。かご３には、リミットスイッチ１８，１９を操作するカム２０が設けられている。
【００２４】
図２は図１の乗場ドア５を示す正面図、図３は図２の乗場ドア５の要部を拡大して示す背面図（昇降路１内から見た図）である。乗場出入口の上部には、掛け金２１が固定されている。掛け金２１の一端部には、フック部２１ａが設けられている。乗場ドア５の上部には、ラッチ２２が揺動可能に取り付けられている。ラッチ２２の先端部には、係合部２２ａが設けられている。乗場ドア５が全閉状態のとき、係合部２２ａがフック部２１ａに係合することにより、乗場ドア５の戸開方向への移動が阻止される。
【００２５】
かご３が着床し、かごドア１３が戸開動作する際、かご３側の係合装置（図示せず）が係合することにより、ラッチ２２が揺動され、ラッチ２２と掛け金２１との係合状態が解除される。これにより、乗場ドア５の戸開動作が可能となる。また、乗場ドア５が戸閉動作すると、ラッチ２２は掛け金２１と係合する位置に戻される。
【００２６】
乗場ドアスイッチ６は、乗場出入口の上部の掛け金２１の近傍に配置されており、ラッチ２２の揺動により操作される。インターロック装置２３は、掛け金２１、ラッチ２２及び乗場ドアスイッチ６を有している。
【００２７】
一方、各乗場ドア開放検出スイッチ７，８は、乗場ドア５の背面に設けられている。また、乗場ドア５の背面には、インターロック装置２３を手動で解錠するための解錠部材２４が揺動可能に取り付けられている。乗場ドア５には、解錠部材２４を揺動させるための解錠キー（図示せず）が挿入される解錠キー穴５ａが設けられている。
【００２８】
解錠部材２４は、連結ワイヤ２５及び連結プレート２６を介してラッチ２２に連結されている。保守作業時に保守員が解錠キーを用いて解錠部材２４を図３の時計方向へ揺動させることにより、ラッチ２２の反係合部２２ａ側の端部が下方へ引き下げられ、ラッチ２２が図３の時計方向へ揺動される。これにより、ラッチ２２と掛け金２１との係合状態が手動で解除される。
【００２９】
乗場ドア開放検出スイッチ７，８は、解錠部材２４の近傍に配置されており、解錠部材２４の揺動により操作される。なお、通常運転時にかご３側の係合装置によりラッチ２２が揺動されても、その揺動は解錠部材２４には伝達されない。従って、乗場ドア開放検出スイッチ７，８は、乗場ドア５の人為的な開放のみを検出する。
【００３０】
図４は図１のエレベータの運転モード切替システムを示す回路図である。第１ないし第４のリセットリレー３１〜３４（PRSTA，CRSTA，PRSTB，CRSTB）は、互いに並列に接続されている。第１及び第３のリセットリレー３１，３３は、ピット１ａ内での保守時に通常運転阻止状態をリセットするためのリレーである。第２及び第４のリセットリレー３２，３４は、かご３上での保守時に通常運転阻止状態をリセットするためのリレーである。
【００３１】
第１のリセットリレー３１は、第１のリセットスイッチ１１に直列に接続されており、第１のリセットスイッチ１１に連動する。第２のリセットリレー３２は、第２のリセットスイッチ１２に直列に接続されており、第２のリセットスイッチ１２に連動する。
【００３２】
第３及び第４のリセットリレー３３，３４は、全ての乗場ドア５が閉鎖されていることを確認するためのリレーである。
【００３３】
また、かご上保守時通常運転阻止リレー３５（INSC）及びピット内保守時通常運転阻止リレー３６（INSP）がバッテリー３７に対して互いに並列に接続されている。
【００３４】
図４において、接点に付した符号は、以下のように対応している。
PRSTA：第１のリセットリレー３１のリレー接点
CRSTA：第２のリセットリレー３２のリレー接点
PRSTB：第３のリセットリレー３３のリレー接点
CRSTB：第４のリセットリレー３４のリレー接点
INSC：かご上保守時通常運転阻止リレー３５のリレー接点
INSP：ピット内保守時通常運転阻止リレー３６のリレー接点
【００３５】
HLS-T：最上階の通常階乗場ドア開放検出スイッチ８の常閉接点
HLS-M：中間階の通常階乗場ドア開放検出スイッチ８の常閉接点（図４では、簡単のため１つのみ示している）
HLS-B：最下階乗場ドア開放検出スイッチ７の常閉接点
【００３６】
DS-T：最上階の乗場ドアスイッチ６の接点
DS-M：中間階の乗場ドアスイッチ６の接点（図４では、簡単のため１つのみ示している）
DS-B：最下階の乗場ドアスイッチ６の接点
【００３７】
GS：かごゲートスイッチ１７の接点
TLS：保守運転上部リミットスイッチ１９の接点
BLS：保守運転下部リミットスイッチ１８の接点
【００３８】
かご上保守時通常運転阻止リレー３５は、通常階乗場ドア開放検出スイッチ８の常閉接点に直列に接続されている。このため、かご上保守時通常運転阻止リレー３５は、最下階以外の乗場ドア５が人為的に開かれた場合に釈放される。かご上保守時通常運転阻止リレー３５が消磁されると、かご３の起動が阻止される。また、かご上保守時通常運転阻止リレー３５は、第２及び第４のリセットリレー３２，３４のリレー接点が閉じたときのみ投入可能となっている。
【００３９】
ピット内保守時通常運転阻止リレー３６は、最下階乗場ドア開放検出スイッチ７の常閉接点に直列に接続されている。このため、ピット内保守時通常運転阻止リレー３６は、最下階の乗場ドア５が人為的に開かれた場合に釈放される。ピット内保守時通常運転阻止リレー３６が消磁されると、かご３の起動が阻止される。また、ピット内保守時通常運転阻止リレー３６は、第１及び第３のリセットリレー３１，３３のリレー接点が閉じたときのみ投入可能となっている。
【００４０】
ピット内保守運転モード切替スイッチ９及びかご上保守運転モード切替スイッチ１５の両方が通常運転（AUTO）側に切り替えられているときに、第１のリセットスイッチ１１が投入されると、第１のリセットリレー３１が励磁される。
【００４１】
また、ピット内保守運転モード切替スイッチ９及びかご上保守運転モード切替スイッチ１５の両方が通常運転（AUTO）側に切り替えられているときに、第２のリセットスイッチ１２が投入されると、第２のリセットリレー３２が励磁される。
【００４２】
全ての乗場ドアスイッチ６の接点は、直列に接続されている。第４のリセットリレー３４は、乗場ドアスイッチ６の接点に直列に接続されている。第２のリセットリレー３２が励磁され、乗場ドアスイッチ６の接点の全てが閉じている場合、即ち全ての乗場ドア５が閉じている場合に、第４のリセットリレー３４が励磁される。但し、このとき、最下階の第１のリセットスイッチ１１が投入されていると、第４のリセットリレー３４が励磁されないように構成されている。
【００４３】
第３のリセットリレー３３は、乗場ドアスイッチ６の接点に直列に接続されている。第１のリセットリレー３１が励磁され、乗場ドアスイッチ６の接点の全てが閉じている場合、即ち全ての乗場ドア５が閉じている場合に、第３のリセットリレー３３が励磁される。但し、このとき、第２のリセットスイッチ１２が投入されていると、第３のリセットリレー３３が励磁されないように構成されている。
【００４４】
従って、保守時通常運転阻止リレー３５，３６は、全ての乗場ドア５が閉じており、かつ保守運転モードではない場合において、乗場にてリセットスイッチ１１，１２を投入した場合のみ励磁される。そして、保守時通常運転阻止リレー３５，３６は、一度励磁されると、乗場ドア５を人為的に開けない限り、自己の接点により保持され、常時励磁される構成となっている。
【００４５】
また、乗場ドア開放検出スイッチ７，８と保守時通常運転阻止リレー３５，３６とを含む回路は、停電時及び電源遮断時もバッテリー３７により電源バックアップされるように構成されているので、停電が発生した場合にリレー３５，３６が遮断され停電から復帰したときにエレベータが起動阻止されたままとなることを防止することができる。
【００４６】
次に、保守作業時の運転モードの切換動作について説明する。まず、ピット１ａ内での保守作業について説明する。ピット１ａ内で保守作業を行うために、保守員が最下階の乗場ドア５を人為的に開けると、最下階乗場ドア開放検出スイッチ７の常閉接点（HLS-B）が開放され、ピット内保守時通常運転阻止リレー３６が釈放される。これにより、ピット内保守運転モード切替スイッチ９の通常運転（AUTO）側に接続された常開接点（INSP）が開放されるので、エレベータ制御装置４への給電が断たれ、かご３の起動が阻止される。
【００４７】
この後、保守員がピット内保守運転モード切替スイッチ９を保守運転モード（HAND）側に切り替えると、ピット内保守運転装置１０の操作スイッチ（UP，DN）を操作したときのみエレベータ制御装置４へ給電され、かご３の保守運転が可能となる。
【００４８】
なお、ピット内保守運転装置１０の操作スイッチ（UP，DN）は各々接点を２系統具備しており、１系統はエレベータ制御装置４への給電ラインに接続され、もう１系統はエレベータ制御装置４への上昇運転指令信号及び下降運転指令信号に接続されている。
【００４９】
また、保守運転下部リミットスイッチ１８にカム２０が接触すると、接点（BLS）が開放されることにより、ピット内保守運転装置１０のDN側操作スイッチの回路が遮断され、その位置からのかご３の下降が規制される。
【００５０】
保守作業が終了すると、保守員は、ピット内保守運転モード切替スイッチ９を通常運転（AUTO）側に戻し、ピット１ａ内から最下階の乗場へ移動する。そして、全ての乗場ドア５及びかごドア１３が閉じた状態で、第１のリセットスイッチ１１を操作する。これにより、運転モードが通常運転モードに戻される。
【００５１】
次に、かご３上での保守作業について説明する。かご３上に搭乗するために、保守員が最下階以外の階の乗場ドア５を人為的に開けると、通常階乗場ドア開放検出スイッチ８の常閉接点（HLS-T又はHLS-M）が開放され、かご上保守時通常運転阻止リレー３５が釈放される。これにより、かご上保守運転モード切替スイッチ１５の通常運転（AUTO）側に接続された常開接点（INSC）が開放されるので、エレベータ制御装置４への給電が断たれ、かご３の起動が阻止される。
【００５２】
この後、保守員がかご上保守運転モード切替スイッチ１５を保守運転モード（HAND）側に切り替えると、かご上保守運転装置１６の操作スイッチ（UP，DN）を操作したときのみエレベータ制御装置４へ給電され、かご３の保守運転が可能となる。
【００５３】
なお、かご上保守運転装置１６の操作スイッチ（UP，DN）は各々接点を２系統具備しており、１系統はエレベータ制御装置４への給電ラインに接続され、もう１系統はエレベータ制御装置４への上昇運転指令信号及び下降運転指令信号に接続されている。
【００５４】
また、保守運転上部リミットスイッチ１９にカム２０が接触すると、接点（TLS）が開放されることにより、かご上保守運転装置１６のUP側操作スイッチの回路が遮断され、その位置からのかご３の上昇が規制される。
【００５５】
保守作業が終了すると、保守員は、かご上保守運転モード切替スイッチ１５を通常運転（AUTO）側に戻し、かご上から乗場へ移動する。そして、全ての乗場ドア５及びかごドア１３が閉じた状態で、第２のリセットスイッチ１２を操作する。これにより、運転モードが通常運転モードに戻される。
【００５６】
このようなエレベータの運転モード切替システムによれば、簡単な構成で、保守員が通常運転モードのまま昇降路１内に入るのをより確実に防止することができる。
【００５７】
次に、ピット１ａ内とかご３上とで同時に保守作業を行う場合について説明する。ピット１ａ内で作業する保守員が、最下階の乗場ドア５を人為的に開けると、最下階乗場ドア開放検出スイッチ７の常閉接点（HLS-B）が開放され、ピット内保守時通常運転阻止リレー３６が釈放される。これにより、ピット内保守運転モード切替スイッチ９の通常運転（AUTO）側に接続された常開接点（INSP）が開放される。
【００５８】
また、かご３上で作業する保守員が、最下階以外の階の乗場ドア５を人為的に開けると、通常階乗場ドア開放検出スイッチ８の常閉接点（HLS-T又はHLS-M）が開放され、かご上保守時通常運転阻止リレー３５が釈放される。これにより、かご上保守運転モード切替スイッチ１５の通常運転（AUTO）側に接続された常開接点（INSC）が開放される
【００５９】
このように、保守員がピット１ａ内に入り、かつ別の保守員がかご３上に搭乗することにより、エレベータ制御装置４への給電は二重に遮断され、当然ながらかご３の起動は阻止される。
【００６０】
この状態においては、ピット１ａ内の保守員がピット内保守運転モード切替スイッチ９を保守運転モード（HAND）側に切り替えても、接点（INSC）が開放されているので、保守運転モードでもかご３を運転することはできない。そして、かご３上の保守員がかご上保守運転モード切替スイッチ１５を保守運転モード（HAND）側に切り替えた上で、ピット１ａ内とかご３上との双方の保守運転装置１０，１６の操作スイッチを同時に同方向へ操作したときのみ、エレベータ制御装置４へ給電され、かご３の保守運転が可能となる。従って、保守員が予期しない状態でかご３が動くことはない。
【００６１】
実施の形態２．
次に、図５はこの発明の実施の形態２によるエレベータの運転モード切替システムを示す回路図である。この実施の形態２では、かご上保守時通常運転阻止リレー３５のリセット回路と、ピット内保守時通常運転阻止リレー３６のリセット回路とが共通になっている。
【００６２】
具体的には、第１のリセットスイッチ１１と第２のリセットスイッチ１２とを並列に接続した回路が、共通の第１のリセットリレー３８に直列に接続されている。第１のリセットリレー３８は、保守時に通常運転阻止状態をリセットするためのリレーであり、第１及び第２のリセットスイッチ１１，１２に連動する。
【００６３】
第２のリセットリレー３９は、全ての乗場ドア５が閉鎖されていることを確認するためのリレーである。他の構成は、実施の形態１と同様である。
【００６４】
なお、図５において、接点に付した符号は、以下のように対応している。
RSTA：第１のリセットリレー３８のリレー接点
RSTB：第２のリセットリレー３９のリレー接点
【００６５】
このようなエレベータの運転モード切替システムでは、かご上保守時通常運転阻止リレー３５のリセット回路と、ピット内保守時通常運転阻止リレー３６のリセット回路とが共通になっているので、構成が簡単であり、リセットスイッチ１１，１２のいずれか一方を操作することで、エレベータを起動不能状態から復帰させることができる。
【００６６】
なお、乗場ドア開放検出スイッチ７，８は、必ずしも全ての階に設けなくてもよい。例えば、保守作業をピット１ａ内のみで行い、ピット１ａ内へは必ず最下階の乗場ドア５を開いて移動する場合、最下階乗場ドア開放検出スイッチ７のみを設ける方法もある。この場合、かご３上での保守作業に関するリレーやスイッチ等は省略されることになる。逆に、保守作業をかご３上のみで行う場合、最下階乗場ドア開放検出スイッチ７を省略することも可能である。また、かご３上への移動を特定の階からのみに制限し、その階のみに通常階乗場ドア開放検出スイッチ８を設ける方法もある。
【００６７】
実施の形態３．
次に、図６はこの発明の実施の形態３によるエレベータの運転モード切替システムを示す回路図である。この実施の形態３では、かご上保守時通常運転阻止リレー３５及びピット内保守時通常運転阻止リレー３６の操作回路がマイクロコンピュータ（判定部）４１により構成されている。
【００６８】
ゲートスイッチリレー４２は、かごゲートスイッチ１７の開閉に従って、マイクロコンピュータ４１により投入・遮断される。乗場ドアスイッチリレー４３は、乗場ドアスイッチ６の開閉に従って、マイクロコンピュータ４１により投入・遮断される。ゲートスイッチリレー４２の常開接点（GSR）及び乗場ドアスイッチリレー４３の常開接点（DSR）は、エレベータ制御装置４の給電ラインに直列に接続されている。
【００６９】
実施の形態１、２では、乗場ドア開放検出スイッチ７，８を用いて乗場ドア５が人為的に開放されたことを検出した。これに対して、実施の形態３では、保守時通常運転阻止リレー３５，３６がマイクロコンピュータ４１によって操作されるので、乗場ドアスイッチ６とかごゲートスイッチ１７との整合性により、乗場ドア５のみが人為的に開放されたことを判定し、保守時通常運転阻止リレー３５，３６の遮断を行う。
【００７０】
即ち、かごゲートスイッチ１７が閉じているにも拘わらず、最下階の乗場ドアスイッチ６が開いたことを検出すると、ピット内保守時通常運転阻止リレー３６を遮断する。また、かごゲートスイッチ１７が閉じているにも拘わらず、最下階以外の階の乗場ドアスイッチ６が開いたことを検出すると、かご上保守時通常運転阻止リレー３５を遮断する。
【００７１】
さらに、保守時通常運転阻止リレー３５，３６のリセットは、全てのドア５，１３が閉じた状態で、リセットスイッチ信号が入力された場合に実施する。さらにまた、マイクロコンピュータ４１や保守時通常運転阻止リレー３５，３６を含む回路は、停電時及び電源遮断時もバッテリー３７により電源バックアップされるように構成されている。他の構成は、実施の形態１と同様である。
【００７２】
このようなエレベータの運転モード切替システムによっても、簡単な構成で、保守員が通常運転モードのまま昇降路１内に入るのをより確実に防止することができる。また、ピット１ａ内とかご３上とで同時に保守作業を行う場合も、保守員が予期しない状態でかご３が動くことがない。
【００７３】
なお、上記の例では、ピット１ａ内とかご３上の両方で同時に保守作業を行う場合、同時に同方向への操作であれば、かご３を保守運転可能としたが、かご上保守時通常運転阻止リレー３５とピット内保守時通常運転阻止リレー３６の両方によりかご３の起動が阻止された場合には、ピット内保守運転装置１０の操作もかご上保守運転装置１６の操作も一切受け付けないように構成することもできる。
また、上記の例では、機械室レスタイプのエレベータを示したが、昇降路内で保守作業を行うエレベータであれば、機械室付きのエレベータにもこの発明は適用できる。
【図１】
2012042660.tif 000003
【図２】
2012042660.tif 000004
【図３】
2012042660.tif 000005
【図４】
2012042660.tif 000006
【図５】
2012042660.tif 000007
【図６】
2012042660.tif 000008
【国際調査報告】
2012042660.tif 000009
2012042660.tif 000010